(57)【要約】【課題】スロットルボディのコンパクト化を可能にする。【解決手段】スロットルボディ１を円胴部１ａと，この円胴部１ａの一端部外周から張り出した端面が略方形をなすフランジ部１ｂとで構成し，そのフランジ部１ｂの対角位置の角部に第１及び第２締結ボス２，２′を一体に形成し，スロットル弁８の弁軸８ａを支持する第１及び第２軸受ボス９，９′をフランジ部１ｂから円胴部１ａにかけて形成し，フランジ部１ｂには，第１軸受ボス９を挟むように並ぶ全閉ストッパボス２０及びステーボス１５の一方を第１締結ボス２に連設し，またそれらの他方をフランジ部１ｂに形成し，その全閉ストッパボス２０にはスロットル弁８の全閉位置を規制するストッパボルト２１を螺合し，ステーボス１５には，操作ワイヤ１１のガイドチューブ１２を支持するガイドチューブステー１３を固着するビス１６を螺着した。【選択図】      図２
2010223049.tif 000002
【特許請求の範囲】
【請求項１】
吸気道（７）を有するスロットルボディ（１）の両側壁に，吸気道（７）を開閉するスロットル弁（８）の弁軸（８ａ）を支承する一対の第１及び第２軸受ボス（９，９′）を一体に形成し，その第１軸受ボス（９）に隣接してスロットルドラム（１０）を前記弁軸（８ａ）の一端部に固着し，このスロットルドラム（１０）に操作ワイヤ（１１）を接続すると共に，このスロットルドラム（１０）をスロットル弁（８）の閉じ方向に付勢する戻しばね（２３）を前記第１軸受ボス（９）周りに配置し，前記第２軸受ボス（９′）には，前記弁軸（８ａ）に連結されてスロットル弁（８）の開度を検出するスロットルセンサ（２５）のケーシング（２６）を嵌合して取り付けてなる，エンジンの吸気制御装置において，
スロットルボディ（１）を，吸気道（７）を有する円胴部（１ａ）と，この円胴部（１ａ）の一端部外周から張り出した，端面が略方形をなすフランジ部（１ｂ）とで構成すると共に，そのフランジ部（１ｂ）の対角位置の角部に，エンジンの吸気管（５）に締結ボルト（３）により締結する少なくとも一対の第１及び第２締結ボス（２，２′）を一体に形成し，また前記第１及び第２軸受ボス（９，９′）をフランジ部（１ｂ）から円胴部（１ａ）にかけて形成し，前記フランジ部（１ｂ）には，前記第１軸受ボス（９）及び戻しばね（２３）を挟むように並ぶ全閉ストッパボス（２０）及びステーボス（１５）の一方を前記第１締結ボス（２）に連設し，またそれらの他方をフランジ部（１ｂ）に形成し，その全閉ストッパボス（２０）には，前記スロットルドラム（１０）に一体に形成したストッパアーム（１０ａ）を受け止めてスロットル弁（８）の全閉位置を規制するストッパボルト（２１）を螺合し，前記ステーボス（１５）には，前記操作ワイヤ（１１）のガイドチューブ（１２）を支持するガイドチューブステー（１３）を固着するビス（１６）を螺着し，前記全閉ストッパボス（２０）及びステーボス（１５）の各孔を吸気道（７）と平行に配置したことを特徴とする，エンジンの吸気制御装置。
【請求項２】
請求項１記載のエンジンの吸気制御装置において，
前記ステーボス（１５）に前記ビス（１６）と平行する位置決めピン（１８）を形成し，この位置決めピン（１８）を前記ガイドチューブステー（１３）に設けた位置決め孔（１７）に嵌合すると共に，この位置決めピン（１８）により前記ストッパアーム（１０ａ）を受け止めてスロットル弁（８）の全開位置を規制するようにしたことを特徴とする，エンジンの吸気制御装置。
【請求項３】
請求項１記載のエンジンの吸気制御装置において，
前記第１締結ボス（２）を，その一部が平面視で前記円胴部（１ａ）と重なるに配置すると共に，この第１締結ボス（２）の外側に前記ステーボス（１５）を連設したことを特徴とする，エンジンの吸気制御装置。
【請求項４】
請求項３記載のエンジンの吸気制御装置において，
前記第２締結ボス（２′）と前記第２軸受ボス（９′）を挟むように並ぶセンサ支持ボス（２７）をフランジ部（１ｂ）に形成し，このセンサ支持ボス（２７）に，前記スロットルセンサ（２５）のケーシング（２６）を固定するボルト（２８）を螺着し，このボルト（２８）を前記第２軸受ボス（９′）と平行に配置したことを特徴とする，エンジンの吸気制御装置。
【請求項５】
請求項４記載のエンジンの吸気制御装置において，
スロットルボディ（１）に，スロットル弁（８）を迂回して吸気道（７）に連通するバイパス（３０）を形成し，このバイパス（３０）を開閉するアイドル調整弁（３１）を，前記第２軸受ボス（９′）に平行させつゝ前記センサ支持ボス（２７）に隣接配置したことを特徴とする，エンジンの吸気制御装置。
【請求項６】
請求項４記載のエンジンの吸気制御装置において，
前記フランジ部（１ｂ）の端面に，前記バイパス（３０）の下流端部となる切欠き部（３５）を形成し，相互に締結されるフランジ部（１ｂ）及び前記吸気管（５）の対向面の一方に，吸気道（７）及び前記切欠き部（３５）を囲繞するシール溝（５３）を形成し，このシール溝（５３）には，前記対向面の他方に密接するＯリング（５４）を装着し，前記第１及び第２締結ボス（２，２′）に，フランジ部（１ｂ）の前記シール溝（５３）形成面より隆起して吸気管（５）の端面に当接する座面（２ａ，２ａ′）を形成し，前記第１及び第２締結ボス（２，２′）の中心間を結ぶ直線（５５）の一側に前記切欠き部（３５）を配置する一方，その直線（５５）の他側でフランジ部（１ｂ）に，前記シール溝（５３）形成面より隆起して吸気管（５）の端面に当接する当接座（５６）を形成しことを特徴とする，エンジンの吸気制御装置。
【請求項７】
請求項６記載のエンジンの吸気制御装置において，
スロットルボディ（１）をダイカスト鋳造製とし，前記座面（２ａ，２ａ′）及び当接座（５６）を仕上げ加工により面一に形成したことを特徴とする，エンジンの吸気制御装置。
【発明の詳細な説明】
【技術分野】
【０００１】
本発明は，吸気道を有するスロットルボディの両側壁に，吸気道を開閉するスロットル弁の弁軸を支承する一対の第１及び第２軸受ボスを一体に形成し，その第１軸受ボスに隣接してスロットルドラムを前記弁軸の一端部に固着し，このスロットルドラムに操作ワイヤを接続すると共に，このスロットルドラムをスロットル弁の閉じ方向に付勢する戻しばねを前記第１軸受ボス周りに配置し，前記第２軸受ボスには，前記弁軸に連結されてスロットル弁の開度を検出するスロットルセンサのケーシングを嵌合して取り付けてなる，エンジンの吸気制御装置の改良に関する。
【背景技術】
【０００２】
かゝるエンジンの吸気制御装置は，特許文献１及び２に開示されるように，既に知られている。
【特許文献１】特開平１１−２４１６６７号公報
【発明の開示】
【発明が解決しようとする課題】
【０００３】
従来のかゝるエンジンの吸気制御装置では，スロットルボディを，吸気道を有する円胴部と，この円胴部の一端部外周から張り出したフランジ部とで構成すると共に，その円胴部の外周に，スロットル弁の弁軸を支承する一対の軸受ボスを一体に突設していたので，一対の軸受ボスとフランジ部とが離れてしまい，それに伴ないスロットル弁の弁軸に固着されるスロットルドラムや，スロットル弁の全閉，全開を規制するストッパ手段等の関連部品が分散してしまうことにより，それらを支持するスロットルボディは必然的に大型化していた。
【０００４】
本発明は，かゝる事情に鑑みてなされたもので，スロットルボディのコンパクト化を可能にする，エンジンの吸気制御装置を提供することを目的とする。
【課題を解決するための手段】
【０００５】
上記目的を達成するために，本発明は，吸気道を有するスロットルボディの両側壁に，吸気道を開閉するスロットル弁の弁軸を支承する一対の第１及び第２軸受ボスを一体に形成し，その第１軸受ボスに隣接してスロットルドラムを前記弁軸の一端部に固着し，このスロットルドラムに操作ワイヤを接続すると共に，このスロットルドラムをスロットル弁の閉じ方向に付勢する戻しばねを前記第１軸受ボス周りに配置し，前記第２軸受ボスには，前記弁軸に連結されてスロットル弁の開度を検出するスロットルセンサのケーシングを嵌合して取り付けてなる，エンジンの吸気制御装置において，スロットルボディを，吸気道を有する円胴部と，この円胴部の一端部外周から張り出した，端面が略方形をなすフランジ部とで構成すると共に，そのフランジ部の対角位置の角部に，エンジンの吸気管に締結ボルトにより締結する少なくとも一対の第１及び第２締結ボスを一体に形成し，また前記第１及び第２軸受ボスをフランジ部から円胴部にかけて形成し，前記フランジ部には，前記第１軸受ボス及び戻しばねを挟むように並ぶ全閉ストッパボス及びステーボスの一方を前記第１締結ボスに連設し，またそれらの他方をフランジ部に形成し，その全閉ストッパボスには，前記スロットルドラムに一体に形成したストッパアームを受け止めてスロットル弁の全閉位置を規制するストッパボルトを螺合し，前記ステーボスには，前記操作ワイヤのガイドチューブを支持するガイドチューブステーを固着するビスを螺着し，前記全閉ストッパボス及びステーボスの各孔を吸気道と平行に配置したことを第１の特徴とする。
【０００６】
また，本発明は，第１の特徴に加えて，前記ステーボスに前記ビスと平行する位置決めピンを形成し，この位置決めピンを前記ガイドチューブステーに設けた位置決め孔に嵌合すると共に，この位置決めピンにより前記ストッパアームを受け止めてスロットル弁の全開位置を規制するようにしたことを第２の特徴とする。
【０００７】
さらに，本発明は，第１の特徴に加えて，前記第１締結ボスを，その一部が平面視で前記円胴部と重なるに配置すると共に，この第１締結ボスの外側に前記ステーボスを連設したことを第３の特徴とする。
【０００８】
さらにまた，本発明は，第３の特徴に加えて，前記第２締結ボスと前記第２軸受ボスを挟むように並ぶセンサ支持ボスをフランジ部に形成し，このセンサ支持ボスに，前記スロットルセンサのケーシングを固定するボルトを螺着し，このボルトを前記第２軸受ボスと平行に配置したことを第４の特徴とする。
【０００９】
さらにまた，本発明は，第４の特徴に加えて，スロットルボディに，スロットル弁を迂回して吸気道に連通するバイパスを形成し，このバイパスを開閉するアイドル調整弁を，前記第２軸受ボスに平行させつゝ前記センサ支持ボスに隣接配置したことを第５の特徴とする。
【００１０】
さらにまた，本発明は，第４の特徴に加えて，前記フランジ部の端面に，前記バイパスの下流端部となる切欠き部を形成し，相互に締結されるフランジ部及び前記吸気管の対向面の一方に，吸気道及び前記切欠き部を囲繞するシール溝を形成し，このシール溝には，前記対向面の他方に密接するＯリングを装着し，前記第１及び第２締結ボスに，フランジ部の前記シール溝形成面より隆起して吸気管の端面に当接する座面を形成し，前記第１及び第２締結ボスの中心間を結ぶ直線の一側に前記切欠き部を配置する一方，その直線の他側でフランジ部に，前記シール溝形成面より隆起して吸気管の端面に当接する当接座を形成しことを第６の特徴とする。
【００１１】
さらにまた，本発明は，第６の特徴に加えて，スロットルボディをダイカスト鋳造製とし，前記座面及び当接座を仕上げ加工により面一に形成したことを第７の特徴とする。
【発明の効果】
【００１２】
本発明の第１の特徴によれば，ステーボス，第１軸受ボス，戻しばね及び全閉ストッパボスをフランジ部の一側に整列することが可能となり，スロットルボディのコンパクト化，特にスロットルボディの軸方向寸法の短縮化を図ることができる。また，第１，第２締結ボス，ステーボス，全閉ストッパボスの各孔を，吸気道と平行に配置することで，それらの型成形やドリル加工等による形成を一挙に行うことができる。
【００１３】
本発明の第２の特徴によれば，ステーボスに前記ビスと平行する位置決めピンを形成し，この位置決めピンをガイドチューブステーに設けた位置決め孔に嵌合することで，ガイドチューブステーのビス周りの回転を阻止することができ，これにより一本のビスによるガイドチューブステーのステーボスへの固定が可能となる。その上，上記位置決めピンは，スロットル弁の全開位置を規制するストッパピンを兼ねることになるので，それ専用のストッパピンが不要となり，構造の簡素化を図ることができる。
【００１４】
本発明の第３の特徴によれば，平面視で円胴部に一部が重ねるように配置した第１締結ボスの外側にステーボスを一体に連設したことで，フランジ部の一側からのステーボスの突出長さを極力短く抑えことができ，これに伴ない，ステーボスと上下に並ぶ全閉ストッパボスのフランジ部からの突出長さも短く抑えることができ，スロットルボディのコンパクト化に一層寄与し得る。
【００１５】
本発明の第４の特徴によれば，第２締結ボス，第２軸受ボス及びセンサ支持ボスをフランジ部の他側に整列することが可能となり，ステーボス，第１軸受ボス，戻しばね及び全閉ストッパボスをフランジ部の一側に整列したことゝ相俟って，スロットルボディ全体のコンパクト化を大いに図ることができる。また，センサ支持ボスを，第２軸受ボスと平行に配置したことで，第２軸受ボス及びセンサ支持ボスに対する型成形やドリル加工を一挙に行うことが可能であり，加工性が良好である。
【００１６】
本発明の第５の特徴によれば，アイドル調整弁を，前記第２軸受ボスに平行させつゝ前記センサ支持ボスに隣接配置したことで，アイドル調整弁の収容孔，センサ支持ボス及び第２軸受ボスに対する型成形やドリル加工を一挙に行うことが可能であり，加工性が良好である。
【００１７】
本発明の第６の特徴によれば，フランジ部の第１及び第２締結ボスの吸気管への締結時，シール形成面から隆起した第１及び第２締結ボスの座面及び当接座の三個所が吸気管の端面に当接することにより，シール溝内のＯリングの圧縮変形量を正確に規制し，そのシール機能を長期に保つことができる。しかも，フランジ部の吸気管との当接面を同一平面に仕上げ加工する際は，第１及び第２締結ボスの座面及び当接座の三個所を仕上げ加工するだけで済み，その加工能率の向上と，加工工具の延命を図ることができる。また，バイパス下流端の切欠き部と当接座とを，第１及び第２締結ボスの中心間を結ぶ直線を挟んで互いに反対側に配置したことで，形状が複雑な部分を分散させることになり，スロットルボディの型成形時，湯回り性の向上を図ることができる。しかも，バイパス下流端の切欠き部は，フランジ部の広い端面を利用することで，これを成形することができる。
【図面の簡単な説明】
【００１８】
【図１】本発明実施例に係る自動二輪車用エンジンの吸気制御装置の縦断側面図（図３の１−１線断面図）。
【図２】図１の２−２矢視図。
【図３】図１の３−３線断面図。
【図４】図２の４−４線断面図。
【図５】図２の５−５線断面図。
【図６】図２の６−６線断面図。
【図７】図２の７−７線拡大断面図（アイドル吸気量最小調整状態）。
【図８】図７に対応する作用説明図（アイドル吸気量最大調整状態）。
【図９】図３の９−９線断面図。
【図１０】アイドル調整弁の回転角度とアイドル吸気量との関係を示す線図。
【発明を実施するための形態】
【００１９】
本発明の実施の形態を，添付図面に示す本発明の好適な実施例に基づいて以下に説明する。
【００２０】
先ず，図１〜図４において，スロットルボディ１は軽合金を素材とするダイカスト鋳造製であり，円胴部１ａと，この円胴部１ａの一端部から外周に張り出したフランジ部１ｂとで構成される。そのフランジ部１ｂは，正面視で（図３参照）略方形をなすと共に，その一方の対角線上の角部に上下一対の第１及び第２締結ボス２，２′が形成され，これら第１及び第２締結ボス２，２′が一対の締結ボルト３，３によりエンジンの吸気管５の接合フランジ部に結合される。また，円胴部１ａの外周には，エアクリーナに連なる入口チューブ６が嵌合接続される。
【００２１】
このスロットルボディ１は，入口チューブ６及び吸気管５間を連通する円筒状の吸気道７を有しており，この吸気道７は，スロットルボディ１の円胴部１ａの外形中心に対して弁軸８ａと直交する下方に偏心させて形成される。この吸気道７を開閉するバタフライ型のスロットル弁８の弁軸８ａが，スロットルボディ１に形成される一対の第１及び第２軸受ボス９，９′により回転自在に支承される。上記第１及び第２軸受ボス９，９′は，それらの一半周部が前記円胴部１ａに，また他の半周部が前記フランジ部１ｂにそれぞれ一体に形成される。その際，第１及び第２軸受ボス９，９′は，図示例のように，それらの一側面がフランジ部１ｂの端面と略面一となるように配置することが望ましい。
【００２２】
こうして，第１及び第２軸受ボス９，９′を円胴部１ａからフランジ部１ｂにかけて形成することで，スロットル弁８を吸気道７の下流端に近接配置することが可能となり，スロットルボディ１のコンパクト化，特に，スロットルボディ１の軸方向寸法の短縮化を大いに図ることができる。
【００２３】
図２〜図４に示すように，上記弁軸８ａの一端部にはスロットルドラム１０が固着され，このスロットルドラム１０には，スロットル弁８を開閉操作するための操作ワイヤ１１（図４参照）が接続される。
【００２４】
上側の第１締結ボス２は，平面視で一部が円胴部１ａと重ねるように配置され，この第１締結ボス２の外側にステーボス１５が一体に連設される。このステーボス１５には，上記操作ワイヤ１１のガイドチューブ１２の端部を支持するガイドチューブステー１３が，ステーボス１５の円胴部１ａ側の端面にビス１６により固着される。その際，ガイドチューブステー１３に穿設されてビス１６の下側に隣接する位置決め孔１７に，ステーボス１５の円胴部１ａ側の端面に突設される位置決めピン１８が嵌合され，その嵌合によりガイドチューブステー１３の上記ビス１６周りの回転が阻止される。これにより一本のビス１６によるガイドチューブステー１３のステーボス１５への固定が可能となる。この位置決めピン１８の先端部は，位置決め孔１７を貫通してガイドチューブステー１３の外側面より突出しており，その先端部に当接してスロットル弁８の全開位置を規制するストッパアーム１０ａがスロットルドラム１０に一体に形成される。即ち，位置決めピン１８は，スロットル弁８の全開位置を規制するストッパピンを兼ねることになるから，それ専用のストッパピンが不要となり，構造の簡素化を図ることができる。
【００２５】
また，フランジ部１ｂには，第１軸受ボス９を挟んでステーボス１５と反対側の個所で全閉ストッパボス２０が一体に形成され，この全閉ストッパボス２０には，前記ストッパアーム１０ａを受け止めてスロットル弁８の全閉位置を規制する全閉ストッパボルト２１が螺着される。
【００２６】
以上において，第１，第２締結ボス２，２′，ステーボス１５の各孔，位置決めピン１８，全閉ストッパボス２０の孔は，吸気道７と平行に配置される。こうすることで，吸気道７，第１，第２締結ボス２，２′，ステーボス１５，位置決めピン１８，及び全閉ストッパボス２０に対する型成形やドリル加工を一挙に行うことが可能であり，加工性が良好である。
【００２７】
第１軸受ボス９の周りには，ステーボス１５及び全閉ストッパボス２０との間を離隔するスペース２２が形成され，このスペース２２を利用して，スロットルドラム１０をスロットル弁８の閉じ方向に付勢する捩じりコイル型の戻しばね２３が軸受ボス９の外周に配設される。
【００２８】
かくして，ステーボス１５，第１軸受ボス９，戻しばね２３及び全閉ストッパボス２０をフランジ部１ｂの一側に整列することが可能となり，スロットルボディ１のコンパクト化に寄与し得る。その際，特に，平面視で円胴部１ａに一部が重ねるように配置した第１締結ボス２の外側にステーボス１５を一体に連設したことで，フランジ部１ｂの一側からのステーボス１５の突出長さを極力短く抑えことができ，これに伴ない，ステーボス１５と上下に並ぶ全閉ストッパボス２０のフランジ部１ｂからの突出長さも短く抑えることができ，スロットルボディ１のコンパクト化に一層寄与し得る。
【００２９】
図１及び図３に示すように，前記第２軸受ボス９′の外周には，スロットル弁８の開度を検出するスロットルセンサ２５のケーシング２５が嵌合される。一方，フランジ部１ｂには，第２軸受ボス９を挟むように第２締結ボス２′と並ぶセンサ支持ボス２７が一体に形成され，このセンサ支持ボス２７に，前記ケーシング２５が締結するボルト２８により締結される。上記センサ支持ボス２７は，第２軸受ボス９と平行に配置される。このような配置によれば，第２軸受ボス９及びセンサ支持ボス２７に対する型成形やドリル加工を一挙に行うことが可能であり，加工性が良好である。
【００３０】
かくして，第２締結ボス２′，第２軸受ボス９′及びセンサ支持ボス２７をフランジ部１ｂの他側に整列することが可能となり，ステーボス１５，第１軸受ボス９，戻しばね２３及び全閉ストッパボス２０をフランジ部１ｂの一側に整列したことゝ相俟って，スロットルボディ１全体のコンパクト化を大いに図ることができる。
【００３１】
図２，図３，図５〜図８において，スロットルボディ１には，スロットル弁８を迂回して吸気道７に連通するバイパス３０が形成される。このバイパス３０はエンジンにアイドリング用の吸気（以下，アイドル吸気という。）を供給するのに供されもので，そのアイドル吸気量の調整のためのアイドル調整弁３１がスロットルボディ１に螺着される。それらバイパス３０及びアイドル調整弁３１について以下に詳細に説明する。
【００３２】
バイパス３０は，スロットルボディ１の上流端からスロットル弁８の手前までの範囲で吸気道７に上側面に形成される凹溝３２（図２，図５，図６参照）と，この凹溝３２から直角に屈曲する方向に延びるシリンダ状の弁孔３３（図７参照）と，この弁孔３３の途中からスロットルボディ１の下流端に向かって延びる計量孔３４と，この計量孔３４を吸気道７の下流端部に連通すべく，スロットルボディ１のフランジ部１ｂの，吸気管５と接合される端面に形成される切欠き部３５（図３参照）とで構成される。
【００３３】
凹溝３２は，前述のように，スロットルボディ１の円胴部１ａの外形中心に対して吸気道７を弁軸８ａと直交する下方へ偏心させたことにより，円胴部１ａの上部に形成される厚肉部３６に形成される。これにより，スロットルボディ１の強度を低下させることなく，凹溝３２の流路面積を充分に得ることができると共に，その凹溝３２に続くバイパス３０の他の部分を弁軸８ａに邪魔されることなく容易に形成することができる。
【００３４】
弁孔３３の外端側には，順次段階的に大径となるねじ孔３８及びガイド孔３９が同軸状に連なっており，そのガイド孔３９はスロットルボディ１の外側面に開口する。これらガイド孔３９，ねじ孔３８及び弁孔３３は，前記センサ支持ボス２７と同様に第２軸受ボス９′と平行に形成される。こうすることで，上記各孔，センサ支持ボス２７及び第２軸受ボス９′に対する型成形やドリル加工を一挙に行うことが可能であり，加工性が良好である。
【００３５】
図１，図５及び図６に示すように，前記凹溝３２は，その下流側に行き止まり部３２ａを有しており，前記弁孔３３は，上記行き止まり部３２ａの手前から直角に屈曲する方向に延びるように配置される。また，弁孔３３の凹溝３２への開口部３３ａは絞られており，且つその開口部３３ａは，凹溝３２の内側面３２ｂから段差ｈ分，一段隆起した段部３２ｃに開口し，さらに，開口部３３ａは，段部３２ｃの周縁から離して配置される。
【００３６】
上記段部３３ｃは，凹溝３２の天井面と行き止まり部３２ａとに連続するように形成される。これによれば，スロットルボディ１の型成形時，吸気道７及び凹溝３２からの型抜きを段部３２ｃに干渉されることなく行うことができる。
【００３７】
一方，アイドル調整弁３１は，主軸４１，ねじ軸４２及び調整弁軸４３を順次段階的に小径となるよう同軸状に一体に連ねて構成され，主軸４１は，工具溝４４付きの膨大頭部４１ａを外端に有し，また外周にはＯリング４５を装着している。そして，調整弁軸４３は前記弁孔３３に回転及び摺動自在に嵌合され，ねじ軸４２は前記ねじ孔３８に螺合され，主軸４１は，ガイド孔３９に上記Ｏリング４５を介して回転及び摺動自在に嵌合され，スロットルボディ１の外側面と膨大頭部４１ａとの間に，アイドル調整弁３１の回り止め用のコイルばね４６が縮設される。
【００３８】
調整弁軸４３には，その端面に開口して弁孔３３と連通する行き止まり孔４８と，調整弁軸４３の外周を取り巻いて前記計量孔３４と連通する環状の計量溝４９と，行き止まり孔４８の軸方向中間部を前記計量溝４９に連通する複数の通孔５０，５０…とが設けられ，計量溝４９の溝幅は，計量孔３４の内径より充分に長く設定される。また行き止まり孔４８の，通孔５０，５０…より奥の行き止まり部は異物溜まり５１とされる。
【００３９】
前記計量孔３４及び通孔５０，５０…は，調整弁軸４３の如何なる調整位置においても，常に，調整弁軸４３の軸方向に沿って相互にオフセットするように配置される。
【００４０】
複数の通孔５０，５０…の個数は，図１に示すように，調整弁軸４３の周方向に等間隔に並ぶ４個とすることが望ましい。調整弁軸４３の先端部の外周面には，ラビリンスシールを構成する１又は複数条の環状溝５２（図６参照）が形成される。
【００４１】
而して，スロットル弁８を全閉にしたエンジンのアイドリング時には，吸気道７に流入した空気がバイパス３０，即ち凹溝３２，弁孔３３，行き止まり孔４８，複数の通孔５０，５０…，計量溝４９及び切欠き部３５を順次経て，吸気道７の下流側に移り，さらに吸気管５を経てアイドル吸気としてエンジンに供給される。このアイドル吸気の量は，アイドル調整弁３１のねじ込み，ねじ戻しによる調整調整弁軸４３の進退調整により，計量溝４９の，計量孔３４との連通幅ｗを加減することで行うことができる。即ち，図７に示すように，その連通幅ｗを狭めれば，アイドル吸気量を減少させ，図８に示すように，その連通幅ｗを広げれば，アイドル吸気量を増加させることができる。
【００４２】
このようなアイドル吸気量の調整時，通孔５０，５０…及び計量孔３４間の，調整弁軸４３の軸方向に沿うオフセット量が一定であるとしても，調整弁軸４３の周方向における通孔５０，５０…の位置が変わると，計量孔３４と，それに最も近い通孔５０との間隔が変化するため，アイドル吸気量に多少の変化が生じる。そこで，アイドル調整弁３１の回転角度に対するアイドル吸気量の変化を，調整弁軸４３の周方向に２個の通孔５０を等間隔に配置した場合（Ａ）と，４個の通孔５０を等間隔に配置した場合（Ｂ）とについて実際に調べたところ，図１０のような結果を得た。それから明らかなように，（Ｂ）の場合の方がアイドル吸気量の変化がスムーズであり，アイドル吸気量の調整を容易，的確に行うことができる。しかも（Ｂ）の場合は，調整弁軸４３に単なる二方向からの孔加工を施すだけで４個の通孔５０を形成することができから，加工性が良好である。したがって，（Ｂ）を採用することが好ましい。
【００４３】
ところで，凹溝３２の内面に結露等による水滴が付着し，その水滴が前記アイドル吸気と共に凹溝３２に流れ込むことがある。この場合，この凹溝３２に連通する弁孔３３は，凹溝３２の行き止まり部３２ａの手前から略直角に屈曲する方向に配置され，且つその弁孔３３の凹溝３２への開口部３３ａは，凹溝３２の内側面３２ｂから一段高く形成された段部３２ｃに開口しており，さらに開口部３３ａは，段部３３ａの周縁から離して配置されるので，凹溝３２の内側面３２ｂを流れる水滴は，流れの慣性により図５の矢印ａ及び図６の矢印ｂのように段部３２ｃの周囲を流れ，開口部３３ａを避けることになり，弁孔３３への水滴の浸入を防ぐことができる。
【００４４】
また，万一，水滴や微細な塵埃等の異物がアイドル吸気と共に弁孔３３に流入した場合には，アイドル吸気は，行き止まり孔４８から通孔５０，５０…へ進路を直角に曲げて環状の計量溝４９に移るのに対して，行き止まり孔４８に侵入した異物は流れの慣性により直進して，行き止まり孔４８の奥の異物溜まり５１に捕捉され，アイドル吸気から分離されることになる。
【００４５】
さらに，万一，アイドル吸気と共に通孔５０，５０…から計量溝４９に移った異物があったとしても，通孔５０，５０…と計量孔３４とは，調整弁軸４３の如何なる調整位置においても，常に調整弁軸４３の軸方向に沿って互いにオフセットしているので，通孔５０，５０…から計量溝４９に移ったアイドル吸気は，直ちに進路を直角に曲げて計量孔３４に向かうのに対して，通孔５０，５０…を通過した異物は，慣性により弁孔３３の内周面に衝突して弁孔３３の下部に落下し，アイドル吸気から分離される。
【００４６】
かくして，計量溝４９及び計量孔３４の計量部への異物の付着を防ぐことができるので，アイドル調整弁３１により一旦調整したアイドル吸気量を長期間安定させることができる。
【００４７】
エンジンを加速すべく，スロットル弁８を開いていくと，吸気道７に流入した吸気は，スロットル弁８の開度により流量を制御されながら吸気道７を直進してエンジンに吸入される。このとき，バイパス３０の入口は，吸気道７の内面から陥没した凹溝３２となっているので，吸気道７の流路面積を減少させず，また吸気道７を直進する吸気の流れを妨げない。これによりエンジンの吸気抵抗を低減して，その出力向上に寄与し得る。
【００４８】
また，このようなエンジンの負荷運転時でも，凹溝３２の内側面３２ｂに沿って流れる水滴が存在しても，前述のアイドリング時と同様に，段部３２ｃによって，弁孔３３の開口部３３ａへの水滴の侵入を防ぐことができる。
【００４９】
再び，図３及び図７において，フランジ部１ｂの，吸気管５と対向する端面には，吸気道７の斜め上方に，バイパス３０の下流端部となる切欠き状の前記切欠き部３５が開口し，この切欠き部３５と吸気道７を囲繞する水滴形状のシール溝５３がフランジ部１ｂの端面に形成され，このシール溝５３には，フランジ部１ｂの第１及び第２締結ボス２，２′が締結ボルト３，３により吸気管５に締結されるとき，吸気管５の端面に密接するＯリング５４が装着される。その際，各締結ボス２，２′には，フランジ部１ｂのシール溝５３形成面より僅かに隆起した座面２ａ，２ａ′が形成される。また，前記切欠き部３５は，吸気道７を横断して上記第１及び第２締結ボス２，２′の中心間を結ぶ直線５５の一側に配置され，その他側においては，フランジ部１ｂのシール溝５３形成面より僅かに隆起した円弧状の当接座５６（図３，図９参照）がシール溝５３の外側縁の一部に沿うように形成される。この当接座５６及び前記座面２ａ，２ａ′は，スロットルボディ１の鋳造後，同一平面に仕上げ加工される。
【００５０】
而して，上記締結時，これら座面２ａ，２ａ′及び当接座５６の三個所が吸気管５の端面に当接することにより，Ｏリング５４の圧縮変形量を正確に規制し，そのシール機能を長期に保つことができる。しかも，フランジ部１ｂの吸気管５との当接面を同一平面に仕上げ加工する際は，第１及び第２締結ボス２，２′の座面２ａ，２ａ′及び当接座５６の三個所を仕上げ加工するだけで済み，その加工能率の向上と，加工工具の延命を図ることができる。また，切欠き部３５及び当接座５６を，両締結ボス２，２′の中心間を結ぶ直線５５を挟んで互いに反対側に配置したことで，形状が複雑な部分を分散させることになり，ダイカスト鋳造時，湯回り性の向上を図ることができる。
【００５１】
本発明は上記実施例に限定されるものではなく，その要旨を逸脱しない範囲で種々の設計変更が可能である。例えば，シール溝５３は，フランジ部１ｂに対向する吸気管５の端面に形成することもできる。また，上記実施例では，本発明を，吸気道７を水平にしたホリゾンタル型スロットルボディ１に適用したが，吸気道７を鉛直方向に向けたバーチカル型のスロットルボディにも適用可能である。また，手動式のアイドル調整弁３１に代えて，電動式又はワックス式の自動弁をバイパスに設けることもできる。
【符号の説明】
【００５２】
１・・・・・スロットルボディ
１ａ・・・・円胴部
１ｂ・・・・フランジ部
２・・・・・第１締結ボス
２′・・・・第２締結ボス
３・・・・・締結ボルト
７・・・・・吸気道
８・・・・・スロットル弁
８ａ・・・・弁軸
９・・・・・第１軸受ボス
９′・・・・第２軸受ボス
１０・・・・スロットルドラム
１１・・・・操作ワイヤ
１２・・・・ガイドチューブ
１３・・・・ガイドチューブステー
１５・・・・ステーボス
１６・・・・ビス
１７・・・・位置決め孔
１８・・・・位置決めピン
２０・・・・全閉ストッパボス
２１・・・・全閉ストッパボルト
２３・・・・戻しばね
２５・・・・スロットルセンサ
２６・・・・ケーシング
２７・・・・センサ支持ボス
２８・・・・ボルト
３０・・・・バイパス
３１・・・・アイドル調整弁
３５・・・・切欠き部
５３・・・・シール溝
５４・・・・Ｏリング
５５・・・・直線
５６・・・・当接座
【図１】
2010223049.tif 000003
【図２】
2010223049.tif 000004
【図３】
2010223049.tif 000005
【図４】
2010223049.tif 000006
【図５】
2010223049.tif 000007
【図６】
2010223049.tif 000008
【図７】
2010223049.tif 000009
【図８】
2010223049.tif 000010
【図９】
2010223049.tif 000011
【図１０】
2010223049.tif 000012